(57)【要約】【課題】  紙版を使用するドライポイント版画印刷において従来の直刻によるクリヤーに限られていた印刷表現に加えて、画線部や塗りつぶし部の所望の部分のみに自然な諧調の濃淡表現できる印刷方法を提供するところにある。【解決手段】本発明の濃淡印刷方法は、紙版を使用するドライポイント版画印刷において、該紙版３の樹脂表層３ｂを直刻する工程と、印刷後に塗りつぶし部１及び／又は画線部２となる凹部を形成する工程と、該凹部の一部に糊などの半透過膜７を塗布して原版１１を作成する工程と、該原版の各凹部にインキ９を詰める工程と、該原版の上の余剰インキを除去する工程と、被印刷体へプレス転写印刷する工程とを有することを特徴とする。【選択図】  図１
2007230107.tif 000002
【特許請求の範囲】
【請求項１】
紙版を使用するドライポイント版画印刷において、
該紙版の樹脂表層を直刻する工程と、
印刷後に塗りつぶし部及び／又は画線部となる凹部を形成する工程と、
該凹部の一部に糊などの半透過膜を塗布して原版を作成する工程と、
該原版の各凹部にインキを詰める工程と、
該原版の上の余剰インキを除去する工程と、
被印刷体へプレス転写印刷する工程と、を有することを特徴とする濃淡印刷方法。
【請求項２】
紙版を使用するドライポイント版画印刷において、
該紙版の樹脂表層を直刻して面状の凹部を形成する工程と、
該面状の凹部内にエナメル塗料を用いて凸部を形成して原版を作成する工程と、
該原版の各凹部にインキを詰める工程と、
該原版の上の余剰のインキを除去する工程と、
被印刷体へプレス転写印刷する工程と、を有することを特徴とする濃淡印刷方法。
【発明の詳細な説明】
【技術分野】
【０００１】
本発明は紙版を使用するドライポイント版画印刷の濃淡印刷方法に関する。より詳しくは、紙版を原版として使用するドライポイント版画印刷方法において従来の直刻による印刷表現に加えて、画線部や塗りつぶし部など、所望の部分のみに自然な諧調の濃淡表現ができるドライポイント版画印刷の濃淡印刷方法に関する。
【背景技術】
【０００２】
従来、凹版の印刷版を用いた印刷方法は、凹状の画線部を形成しその凹部にインキを詰めて、凹部を形成していない表面の余分なインキをプレス転写前にナイフ状の道具（ドクターブレード）やゴムヘラなどで掻き落として除去した後に、凹部に充填したインキを被印刷体である用紙に加圧転写させる印刷方式（直接印刷）であり、グラビア印刷が代表例として挙げられる（特許文献１参照）。
本発明に関するドライポイント版画印刷も凹版印刷方法の一種であり、平滑な版表面に鋭利な彫刻刀などにより表層から線又は面状の図柄を刻設して凹部を形成し、この凹部にインキを充填するとともに、該インキを印刷用紙等の被印刷体にプレス転写することにより印刷物を作製するものである。原版となる版材としては、銅板が主として使用されているが、紙版も容易に入手でき直刻も簡単なことから広く使用されている。
【０００３】
銅版、紙版のいずれの場合も、硬い鋼鉄製の針やダイヤモンド針、彫刻刀などで、直接刻描して凹部を刻む（直刻）ものであるから、濃淡の表現は線刻の太さ、深さと間隔の粗密の組み合わせで表現している。したがって凹版印刷においては濃淡表現を自然な諧調として表現することは難しい。このため、紙凹版印刷においては、切れ味の悪い彫りこみ道具を使用するなどして線縁をぼかし、濃淡印刷方法を工夫をしている。
【０００４】
図５を用いて、従来から行われている、紙版を使用したドライポイント版画印刷した図柄例（ガラス瓶）を例にとって、ドライポイント版画印刷について説明する。図５に示すように、ドライポイント版画印刷法によって印刷したガラス瓶の図柄は塗りつぶし部１の周縁が単調となるので、ガラス瓶の胴側面の陰影としての淡色部分を設け自然な表現としたいという要望がかねてからあった。
【特許文献１】特開平６−１４３８５４号公報
【発明の開示】
【発明が解決しようとする課題】
【０００５】
このようにドライポイント版画印刷法においては、版面に直接刻描して凹部を形成するものであるから、塗りつぶし部あるいは画線部においてその濃淡表現を自然な諧調とすることが困難であるという問題点がある。
本発明の目的は、紙版を原版として使用するドライポイント版画印刷方法において、従来の直刻による印刷表現に加えて、画線部や塗りつぶし部など、所望の部分のみに自然な諧調の濃淡表現できるドライポイント版画印刷の濃淡印刷方法を提供することである。
【課題を解決するための手段】
【０００６】
上記目的を達成するため、本発明者は鋭意検討を重ねた結果、紙版を使用するドライポイント版画印刷において、図柄、画線の一部に濃淡を持たせた印刷をする方法として、文具用糊や工作用糊などが版画インキと親和性が良く適度な粘度などを有すること、さらにエナメル塗料を用いて凸部を形成すれば図柄周縁に淡色効果をもたらすことを見出し、以下の手段を発明するに至った。
【０００７】
本発明の請求項１の濃淡印刷方法は、紙版を使用するドライポイント版画印刷において、該紙版の樹脂表層を直刻する工程と、印刷後に塗りつぶし部及び／又は画線部となる凹部を形成する工程と、該凹部の一部に糊などの半透過膜を塗布して原版を作成する工程と、該原版の各凹部にインキを詰める工程と、該原版の上の余剰インキを除去する工程と、被印刷体へプレス転写印刷する工程と、を有することを特徴とする。
【０００８】
請求項２の濃淡印刷方法は、紙版を使用するドライポイント版画印刷において、該紙版の樹脂表層を直刻して面状の凹部を形成する工程と、該面状の凹部内にエナメル塗料を用いて凸部を形成して原版を作成する工程と、該原版の各凹部にインキを詰める工程と、該原版の上の余剰のインキを除去する工程と、被印刷体へプレス転写印刷する工程と、を有することを特徴とする。
【発明の効果】
【０００９】
本発明によれば、従来の紙版を使用するドライポイント版画印刷において濃淡印刷をする部分に文具用糊又は工作用糊などの半透過膜を塗布することにより、凹部における紙などの被印刷体へのインキの透過量をコントロールできるため用紙のインキ付着量（濃淡）を加減することができ、画線や面画部の所望の部分を諧調のある濃淡表現とすることができる。
また、紙版の凹部内にエナメル塗料で凸部を形成することによっても濃淡を表現することができる。
【発明を実施するための最良の形態】
【００１０】
以下、本発明を図面に基づいて詳細に説明する
（実施の形態１）
図１は本発明の実施形態例を示すもので、紙版ドライポイント版画の印刷法によるガラス瓶Ａとその印刷工程順を示している。図１において、ガラス瓶Ａは陰影を表現した塗りつぶし部１と画線部２で表現されおり、塗りつぶし部１内は、濃色部１ａと淡色部１ｂとから構成されている。
【００１１】
図１（ａ）はドライポイント用の紙版３の縦断面構成を示している。紙版３の基板を構成する台紙３ａは、通常のボール紙、厚紙と呼ばれる厚手の紙が用いられ、その表面にアクリル樹脂を主成分とする樹脂表層３ｂが設けられている（図１（ｂ）参照）。この紙版３は、ドライポイント用紙版３として市販されているものを用いることができる。
紙版３の樹脂表層３ｂは、版画用インキが紙繊維に染み込むのを防止する機能、あるいは紙版表面を十分平滑にしインキ拭き取り後のインキの部分的残存を防止する機能を付与できるものであればよく、アクリル樹脂に限定されるものではなく他の樹脂などでもよい。この樹脂表層３ｂには、流動性、耐水性、造膜性の付与のため、適宜に他の添加剤が加えられていてもよい。
【００１２】
以下、図１の（ｂ）〜（ｅ）を用いて、印刷されたガラス瓶ＡのＸ−Ｘ部分（図１の最上の図）を例にとって印刷工程を説明する。先ず、（ｂ）の工程に示すように、ガラス瓶Ａの塗りつぶし部１に相当する部分を鋭利なカッターナイフ５により樹脂表層３ｂを剥ぎ取り、面状の凹部を形成する。そしてガラス瓶Ａの画線部２に相当する部分も同じく線状に溝切りして線状の凹部を形成する。
【００１３】
図１（ｃ）の工程では、ガラス瓶Ａの陰影としての塗りつぶし部１面内の一部に淡色部１ｂを設けるため、筆６により文具用糊７を塗布する。塗りつぶし部の大きさ応じてハケや小筆などを使用すれば好適に塗布することができる。
ここで、本発明で使用する糊は文具用糊や工作用糊等の通常の合成糊を用いることができ、糊が有する適度な粘性、展延性、造膜性、インキとの親和性を利用するものであり、これらと同じような特性を有するものであれば、その用途としての文具、工作用という呼称にとらわれるものではない。また、糊という名称にとらわれるものでもなく、インキの透過量を加減できる半透過膜であればよい。
線凹部４ａ（被印刷体においては画線部２となる）も部分的に濃淡印刷をする場合は、小筆やハケにより糊を塗布することにより画線を部分的に淡色とすることができる。
【００１４】
糊の粘度によりその塗布厚みがほぼ決まり、例えば粘度の低い（流動性の大きい）糊を用いる場合は塗布厚みは薄くなるので、その糊の上へインキを付着させた後は、台紙３ａ内部へのインキ浸透量が多くなり、被印刷体上ではよりインキの濃い表現とすることができる。薄く塗る場合は、糊を水で薄めることにより容易に粘度を下げることができ所望の粘度に調整することができる。
逆に、粘度の高い糊を用いる場合は塗布厚みを厚くすることができるので、台紙３ａ内部へのインキ浸透量が少なくなり、被印刷体上ではよりインキの薄い淡い表現とすることができる。
このように使用する糊の粘度によりほぼ被印刷体において濃淡をコントロールすることができるので、糊の種類や銘柄を特定することにより、インキの濃淡を有する印刷方法の再現性を確保することができる。
【００１５】
図１（ｄ）の工程では、塗りつぶし部１と画線部２に相当する凹部にタンポと呼ばれる木綿を丸めたインキ詰め具８を使用してインキ９を詰める。また、必要に応じて部分的にインキの色を変えることもできる。
図１（ｅ）の工程では、凹部に詰めたインキ９の余剰部分を綿布等で覆ったインキ除去具１０で除去する。インキを詰めた凹部以外の部分（非インキ部という。樹脂表層３ｂの残存部）にインキを残すと被印刷体が汚れるので、布できれいに拭き取って原版１１とする。
【００１６】
図２は、図１で示した工程によって仕上がった原版１１を、２本のローラーを具備するプレス機２０を使用して被印刷体である用紙２１へ印刷する工程図である。プレス機２０の前面（図２の左側）から、原版１１とフェルト２２で用紙２１を挟むように重ねてベッド（鉄板）２３に置いて挿入すると、図２（ｂ）に示すように、原版１１の凹部に詰めたインキ９は、ローラーの圧力によって用紙２１に転写されて、印刷後は、用紙２１上において塗りつぶし部１や画線部２となる。
なお、塗りつぶし部１の一部において、原版１１で糊を塗布した部分は、インキ濃度の諧調を有する淡色部１ｂとして表現された印刷図柄を形成する。
【００１７】
（実施の形態２）
実施の形態２は、被印刷体においてガラス瓶Ｂの胴部に陰影部を形成する方法を示すものであるが、図３を用いて、塗りつぶし部１内に非インキ図柄１ｃ（図４参照）を設ける印刷方法を説明する。
本実施の形態２によれば、非インキ図柄１ｃにおいて図柄の周縁が明瞭な輪郭とならず淡色とすることができるため、図柄の周縁に所謂「ぼかし」表現効果をもつ印刷をすることができる。
【００１８】
図３（ａ）に示すように、実施の形態１と同じ方法により、カッターナイフ等を用いて紙版３の樹脂表層３ｂを剥離除去した面凹部４内にエナメル塗料１２で２条の凸部を形成する。ここで使用するエナメル塗料１２は、工作などの通常の用途に使われる有機樹脂塗料であり、筆やヘラなどの道具により、面凹部４内に盛り上がりのある凸部を形成することができれば良く、特にエナメル塗料の種類を限定するものではない。
そして、図３（ｂ）に示すように面凹部４にインキ９を詰め、（ｃ）に示すように綿布等で覆ったインキ除去具１０により余剰のインキを拭き取り原版１１を完成させる。
この原版１１を図２で説明したようにプレス機を用いて用紙２１に転写印刷する。
【００１９】
図４は、前記エナメル塗料１２を用いて面凹部４に２条の凸部を設けた原版１１の要部断面図である。さらに、図４の上部には非インキ部１２ａを用紙に転写印刷した非インキ図柄１ｃの拡大（印刷した被印刷体の上面図）を示している。
図４から分かるように、エナメル塗料１２を盛り上げて形成した非インキ部１２ａの中心部は、印刷された被印刷体の用紙ではインキが転写されず用紙色そのままを示すが、非インキ部１２ａの周縁輪郭部１２ｂではエナメル塗料１２で形成した凸部の山高さが低いので、インキの詰め量が少なく被印刷体では周縁ぼかし部１ｄとすることができる。
【産業上の利用可能性】
【００２０】
本発明は、紙版を使用するドライポイント版画印刷において、直刻または剥離除去した凹部に、容易に入手できる半透過膜として文房具あるいは工作用糊を塗布することにより、簡単に部分的な濃淡印刷をすることができ、産業上の利用可能性が高い。
【図面の簡単な説明】
【００２１】
【図１】本発明の実施形態１に係る塗りつぶし部の濃淡印刷工程の説明図である。
【図２】本発明の実施形態１に係るプレス印刷工程の説明図である。
【図３】本発明の実施形態２に係る塗りつぶし部内に淡色図柄を設ける濃淡印刷工程の説明図である。
【図４】本発明の実施形態２に係る塗りつぶし部内の淡色図柄の拡大説明図である。
【図５】従来法の紙版ドライポイント版画印刷法による印刷図柄例である。
【符号の説明】
【００２２】
１    ・・・塗りつぶし部
１ａ  ・・・濃色部
１ｂ  ・・・淡色部
１ｃ  ・・・非インキ図柄
１ｄ  ・・・周縁ぼかし部
２    ・・・画線部
３    ・・・ドライポイント用の紙版
３ａ  ・・・台紙
３ｂ  ・・・樹脂表層
４    ・・・面凹部
４ａ  ・・・線凹部
５    ・・・カッターナイフ
６    ・・・筆
７    ・・・文具用糊
８    ・・・インキ詰め具（タンポ）
９    ・・・インキ
１０  ・・・インキ除去具
１１  ・・・原版
１２  ・・・エナメル塗料
１２ａ・・・非インキ部
１２ｂ・・・周縁輪郭部
２０  ・・・プレス機
２１  ・・・用紙（被印刷体）
２２  ・・・フェルト
２３  ・・・ベッド（鉄板）
【図１】
2007230107.tif 000003
【図２】
2007230107.tif 000004
【図３】
2007230107.tif 000005
【図４】
2007230107.tif 000006
【図５】
2007230107.tif 000007